(57)【要約】      （修正有）【課題】接点の損傷をなくすことにより信頼性の向上を図る昇降装置及び照明器具を提供する。【解決手段】昇降体１３の受電接点２１，２２に対して電気的に接続する給電接点２３，２４と、昇降体１３が上昇して昇降装置本体１１に嵌合するとき接点圧が所定値になったことを検出する検出部３１と、検出部３１に接続され昇降体１３に電気を通電・非通電にする開閉器接点３６〜３９を有する開閉器３３とを昇降装置本体１１に備え、昇降体１３が上昇し、昇降装置本体１１に嵌合して接点圧が所定値になったことを検出すると、開閉器３３の開閉器接点３６〜３９を閉じて昇降体１３に通電し、昇降体１３が下降して昇降装置本体１１から離れ、接点圧が所定値以下になったことを検出すると、開閉器３３の開閉器接点３６〜３９を開き、昇降体１３への通電を停止して給電接点２３，２４及び受電接点２１，２２が離れる。【選択図】図２
2010100423.tif 000002
【特許請求の範囲】
【請求項１】
モータにより昇降体を上下させる昇降装置であって、
固定して設置される昇降装置本体と、
前記昇降装置本体から昇降する昇降体を電気的に接続する給電接点および受電接点と、
前記昇降体が上昇して前記昇降装置本体に嵌合するとき接点圧が所定値になったことを検出する検出部と、
前記検出部に接続され前記昇降体に電気を通電、非通電にする開閉器接点を有する開閉器と、
を前記昇降装置本体に備え、
前記昇降体が上昇して前記昇降装置本体に嵌合するとき接点圧が所定値になったことを前記検出部により検出すると前記開閉器の前記開閉器接点を閉じ前記昇降体に通電し、前記昇降体が下降して前記昇降装置本体から離れるとき接点圧が所定値以下になったことを前記検出部により検出すると前記開閉器の前記開閉器接点を開き前記昇降体への通電を停止して前記給電接点および前記受電接点が離れることを特徴とする昇降装置。
【請求項２】
請求項１記載の前記昇降体は、少なくともランプを備えていることを特徴とする照明器具。
【発明の詳細な説明】
【技術分野】
【０００１】
本発明は、例えばコンサートホールや体育館、コンベンションホール等の構造物の天井に取り付けられてワイヤロープによって照明器具を連結した昇降体を昇降する昇降装置および照明器具に関する。
【背景技術】
【０００２】
従来の昇降装置および照明器具の一例として、昇降装置本体と昇降体とが嵌合している状態で昇降装置本体と昇降体とを電気的に接続するようにした昇降装置がある（例えば、特許文献１参照）。
【０００３】
上記特許文献１に開示された昇降装置は、昇降装置本体の給電接点と昇降体の受電接点を確実に接触させて通電する。昇降装置は、天井側高所に配置されてワイヤロープを巻取・巻き戻しする巻取ドラムを駆動するモータを備えた昇降装置本体と、この本体に設けられ電源に電気的に接続する複数の給電接点と、ワイヤロープに吊持されるとともに電気機器を連結して昇降される昇降体と、この昇降体に設けられ各給電接点に夫々接離されるとともに電気機器と電気的に接続される複数の受電接点と、を備えている。
【０００４】
昇降装置本体は、給電接点が取り付けられた底壁と、この底壁から下方に突出して相対向する一対の側壁と、これら側壁にその長さ方向にお互いに離れて設けられお互いの間に昇降体の一部が嵌合される凹溝を形成した一対のストッパ突部とを有して形成された接点台を設けるとともに、この取付け台を接点台押しばねにより下向きに付勢し、昇降体の外周面に両側面の対向面間に嵌合される一対の嵌合突部を設け、これら嵌合突部の長さ方向両端部およびストッパ突部の下端部のうちの少なくとも一方に斜状面を設け、接点台押しばねよりも弾性力が小さい接点ばねで給電接点および受電接点のうちの一方を他方に向けて付勢するとともに、接点台を検出してモータの運転を停止させるスイッチを昇降装置本体に取付けた。
【０００５】
昇降装置本体の底壁には、接点本体の下端面に銀酸化カドミウム製の接触層を設けて形成された複数の給電接点が、接点台に設けた取付け孔を貫通し、接点本体のねじ部にナットを螺合して締付けることにより接点台に固定されている。
【特許文献１】特開平５−２８８１６号公報（図２、段落番号００３１，００３２）
【発明の開示】
【発明が解決しようとする課題】
【０００６】
ところが、上記特許文献１に開示された昇降装置および照明器具では、昇降体にＨＩＤ照明器具が接続され、ランプを点灯させる点灯装置が昇降装置本体にあるために、電源が通電された状態で昇降装置を昇降させる接点を劣化、即ち電気的腐食を生ずる虞がある。
【０００７】
具体的には、昇降体が昇降装置本体に嵌合しランプが点灯した状態で昇降部を下降させると、接点はアークを引きながら電気的接続を遮断することになる。
【０００８】
昇降体がワイヤロープで吊るされた状態から上昇し昇降装置本体に嵌合するとき給電端子に通電がされていると、点灯装置から出力された数ｋＶのランプを始動させる電圧が接点に印加される。
【０００９】
また、給電端子と受電端子とは、昇降体の上昇・下降速度で開閉するので、電磁リレーの接点の開閉速度と比べて遅く、アークが継続しやすく、昇降・下降のいずれの場合も接点の表面を損傷してしまうという虞がある。
【００１０】
本発明は、前述した要望を満たすためになされたもので、その目的は、接点の損傷をなくすことにより信頼性の向上を図ることができる昇降装置および照明器具を提供することにある。
【課題を解決するための手段】
【００１１】
本発明に係る昇降装置は、モータにより昇降体を上下させる昇降装置であって、固定して設置される昇降装置本体と、前記昇降装置本体から昇降する昇降体を電気的に接続する給電接点および受電接点と、前記昇降体が上昇して前記昇降装置本体に嵌合するとき接点圧が所定値になったことを検出する検出部と、前記検出部に接続され前記昇降体に電気を通電、非通電にする開閉器接点を有する開閉器と、を前記昇降装置本体に備え、前記昇降体が上昇して前記昇降装置本体に嵌合するとき接点圧が所定値になったことを前記検出部により検出すると前記開閉器の前記開閉器接点を閉じ前記昇降体に通電し、前記昇降体が下降して前記昇降装置本体から離れるとき接点圧が所定値以下になったことを前記検出部により検出すると前記開閉器の前記開閉器接点を開き前記昇降体への通電を停止して前記給電接点および前記受電接点が離れることを特徴とする。
【００１２】
本発明においては、昇降体が昇降装置本体に嵌合するとき接点圧が所定値になってから給電接点および受電接点に通電を行い、昇降体が下降するとき接点圧が所定値以下になってから給電接点および受電接点への通電を中止する。
よって、給電接点と受電接点と間で電気的遮断をすることがなくなることにより、従来のもののように、接点遮断時に発生するアークや、接点が閉じるときに印加される高電圧が給電端子と受電端子とにかかることがなくなる。
したがって、接点の損傷を防止することにより信頼性の向上を図ることができる。
【００１３】
本発明に係る照明器具は、前記昇降体は、少なくともランプを備えていることを特徴とする。
【００１４】
本発明においては、昇降体に少なくともランプを備えた照明器具を装備した。
よって、信頼性の高い照明器具を提供することができる。
【発明の効果】
【００１５】
本発明の昇降装置および照明器具によれば、昇降体が上昇して昇降装置本体に嵌合するとき接点圧が所定値になったことを検出部により検出すると開閉器の開閉器接点を閉じ昇降体に通電し、昇降体が下降して昇降装置本体から離れるとき接点圧が所定値以下になったことを検出部により検出すると開閉器の開閉器接点を開き昇降体への通電を停止して給電接点および受電接点が離れる。
これにより、接点の損傷をなくすことにより信頼性の向上を図ることができるという効果を有する。
【発明を実施するための最良の形態】
【００１６】
以下、本発明の実施形態に係る昇降装置および照明器具について、図面を参照して説明する。
【００１７】
図１に示すように、本発明の一実施形態である昇降装置１０は、固定して設置される昇降装置本体１１と、昇降装置本体１１から吊るされたワイヤロープ１２と、ワイヤロープ１２を介して昇降する昇降体１３と、昇降体１３に連結された照明器具１４と、を備える。
【００１８】
昇降装置本体１１は、ワイヤロープ１２を巻取り・巻出しするモータ１５と、モータ１５に接続された減速機１６と、減速機１６の出力軸１７に取付けられたドラム１８と、モータ１５の回転動作を制御する制御部１９と、を内装している。
【００１９】
昇降装置本体１１は、昇降体１３を収容するための昇降体収容部２０を有し、昇降体収容部２０の天部に、昇降体１３に有する一対の受電接点２１、２２に電気的接続するための一対の給電接点２３，２４をそれぞれ備えている。
【００２０】
モータ１５はＤＣモータを適用している。制御部１９は、交流電源を全波整流した電圧を、正転方向もしくは逆転方向に印加する。昇降体１３の上昇と下降とは、不図示の上昇用接点と下降用接点と共通接点とを設け、昇降体１３を上昇させるときは上昇用接点と共通接点間に、下降させるときは下降用接点と共通接点間に電圧が印加できるように制御する。
【００２１】
ワイヤロープ１２は、ドラム１８から複数のプーリ２５，２６および昇降体１３に備えたプーリ２７，２８に引き出されており、その端部が昇降装置本体１１の昇降体収容部２０の天部にかしめ固定されている。
【００２２】
昇降体１３は、不図示のランプの外側に反射板２９を装備した照明器具１４を連結している。照明器具１４は、ランプが一対の受電接点２１，２２にそれぞれ電気的に接続されている。照明器具１４は、昇降装置本体１１の昇降体収容部２０に収容された通常の使用状態において点灯され、例えば点検等を行う際に、消灯されてから、昇降装置本体１１の昇降体収容部２０から離脱して下降する。
【００２３】
図２にも示すように、一対の給電端子２３，２４は、付勢ばね３０を介して上下移動可能に昇降体収容部２０に組み付けられている。
【００２４】
昇降体収容部２０には、リミットスイッチ３１が取り付けられている。リミットスイッチ３１は、一対の受電接点２１，２２と一対の給電接点２３，２４との接点圧力が所定の値になったときにオンし、一対の受電接点２１，２２と一対の給電接点２３，２４との接点圧力が所定の値になっていないときにオフする接点子３２を備えている。
【００２５】
昇降装置本体１１には、開閉器３３を取り付けており、開閉器３３とリミットスイッチ３１とが端子台３４を通じて点灯装置３５に接続されている。
【００２６】
開閉器３３は６Ｐタイプの電磁リレーである。開閉器３３は、第１常開固定接点３６が一方の給電接点２３に、第１常開可動接点３７が点灯装置３５に、それぞれ電気的に接続されている。
【００２７】
開閉器３３は、第２常開固定接点３８を他方の給電接点２４に、第２常開可動接点３９を点灯装置３５に、それぞれ電気的に接続している。
【００２８】
開閉器３３は、リレーコイル４０の一方をリミットスイッチ３１の一方に、他方を点灯装置３５の交流電源４１側に、それぞれ電気的に接続している。リミットスイッチ３１の他方は交流電源４１に電気的に接続されている。
【００２９】
次に、昇降装置１０の動作について説明する。
【００３０】
昇降体１３が昇降体収容部２０の上死点において収容されている通常時、ドラム１８は巻き上げ終わっている。このとき、付勢ばね３０に抗して両給電接点２３，２４は昇降体１３の両受電接点２１，２２にそれぞれ所定の接圧を超えた圧力で電気的に接続されており、リミットスイッチ３１は接点子３２がオンされている。
【００３１】
リミットスイッチ３１の接点子３２がオン状態にあるために、開閉器３３のリレーコイル４０が励磁され、各可動接点３７，３９が各固定接点３６，３８にそれぞれ電気的に接続されている。そのため、点灯装置３５に接続されている不図示の点灯スイッチがオン切換えされることにより、両給電接点２３，２４から両受電接点２１，２２にそれぞれ電流が流れて照明器具１４のランプが点灯する。
【００３２】
照明器具１４の点検等により昇降体１３を下降させる必要が生じた場合、モータ１５を昇降体１３の下降方向に駆動させる。モータ１５の駆動に伴い、ドラム１８がワイヤロープ１２を引き出すことにより、昇降体１３が昇降体収容部２０から下降を始める。
【００３３】
このとき、昇降体１３の下降に伴い、両給電接点２３，２４が付勢ばね３０の弾性反発力により下方へ向けて突出していき、その後に、両受電接点２１，２２と両給電接点２３，２４との接圧が所定の値を下回ることになる。
【００３４】
そして、このタイミングでリミットスイッチ３１の接点子３２がオフ状態に切り換わる。すると、開閉器３３のリレーコイル４０が消磁され、各可動接点３７，３９が各固定接点３６，３８から離れてそれぞれ電気的に遮断される。そのため、両給電接点２３，２４への通電がカットオフされ、照明器具１４のランプへの通電が遮断される。
【００３５】
照明器具１４の点検等が終了し、昇降体１３を上昇させる場合、モータ１５を昇降体１３の上昇方向に駆動させる。モータ１５の駆動に伴い、ドラム１８がワイヤロープ１２を巻き取ることにより、昇降体１３が昇降体収容部２０に向けて上昇を始める。
【００３６】
昇降体１３が上昇を続けて昇降体収容部２０の上死点に近付くと、昇降体１３の両受電接点２１，２２が付勢ばね３０に抗して両給電接点２３，２４にそれぞれ接触を始める。しかし、両受電接点２１，２２および両給電接点２３，２４は、所定の接圧を超えていないために、リミットスイッチ３１は接点子３２がオンされない。つまり、両給電接点２３，２４への通電は遮断されたままである。
【００３７】
昇降体１３がさらに上昇を続けて昇降体収容部２０の上死点に到達すると、付勢ばね３０に抗して両給電接点２３，２４が昇降体１３の両受電接点２１，２２にそれぞれ所定の接圧を超えた圧力で接触され、リミットスイッチ３１は接点子３２がオン切換えされる。
【００３８】
リミットスイッチ３１の接点子３２がオンすることにより、開閉器３３のリレーコイル４０が励磁される。そのため、各可動接点３７，３９が各固定接点３６，３８にそれぞれ電気的に接続され、両給電接点２３，２４が両受電接点２１，２２に所定の接圧で接触している状態において、両給電接点２３，２４への通電が開始される。
よって、両給電接点２３，２４と両受電接点２１，２２と間で電気的遮断をすることがないので、アークや高電圧が発生することがなくなる。
【００３９】
なお、接点圧を検出するためのリミットスイッチ３１に加えて、圧力センサ等の他のセンサ素子を用いても良い。
【００４０】
本実施形態では、昇降体１３が昇降装置本体１１に嵌合するとき接点圧が所定値になってから両給電接点２３，２４および両受電接点２１，２２への通電を行い、昇降体１３が下降するとき接点圧が所定値以下になってから両給電接点２３，２４および両受電接点２１，２２への通電を中止する。
よって、両給電接点２３，２４と両受電接点２１，２２と間で電気的遮断をすることがなくなることにより、従来のもののように、接点遮断時に発生するアークや、接点が閉じるときに印加される高電圧が給電端子と受電端子とにかかることがなくなる。
したがって、各接点２１，２２，２３，２４の損傷を防止することにより信頼性の向上を図ることができる。
【００４１】
本実施形態では、昇降体１３にランプを備えた照明器具１４を装備した。
よって、信頼性の高い照明器具１４を提供することができる。
【００４２】
なお、前記各実施形態で使用したワイヤロープ１２、昇降体１３、照明器具１４等は例示したものに限定するものではなく適宜変更が可能である。
【図面の簡単な説明】
【００４３】
【図１】本発明に係る一実施形態の昇降装置の正面図
【図２】図１に示した昇降装置の側面図
【符号の説明】
【００４４】
１０  昇降装置
１１  昇降装置本体
１３  昇降体
１４  照明器具
１５  モータ
２１、２２  受電接点
２３、２４  給電接点
３１  リミットスイッチ（検出部）
３３  開閉器
３６、３７  第１常開可動接点（開閉器接点）
３８、３９  第２常開可動接点（開閉器接点）
【図１】
2010100423.tif 000003
【図２】
2010100423.tif 000004